(57)【要約】      （修正有）【課題】正面と左右から販促情報が見られる立体型スイングポップを提供する。【解決手段】立体型スイングポップ３０は、販促情報が印刷された第１の販促情報表示部１と、販促情報が印刷された第２の販促情報表示部２と、商品や陳列棚などに固定される固定部３と、固定部３と第２の販促情報表示部２とをつなぐつなぎ部４と、を備え、第１の販促情報表示部１と第２の販促情報表示部２は、その両方の印刷面が互いに略９０度を成す。【選択図】図３
0003208156.tif 000002
【実用新案登録請求の範囲】
【請求項１】
販促情報が印刷された第１の販促情報表示部と、
販促情報が印刷された第２の販促情報表示部と、
商品や陳列棚などに固定される固定部と、
前記固定部と前記第２の販促情報表示部とをつなぐつなぎ部と、
を備え、
前記第１の販促情報表示部と前記第２の販促情報表示部は、その両方の印刷面が互いに略９０度を成すことを特徴とする立体型スイングポップ。
【請求項２】
前記第１の販促情報表示部は、その両面に販促情報が印刷されていることを特徴とする請求項１に記載の立体型スイングポップ。
【請求項３】
支持部材をさらに備え、
前記第１の販促情報表示部と前記第２の販促情報表示部は、その両方の印刷面が互いに略９０度を成すように、前記支持部材によって支持されていることを特徴とする請求項１または２に記載の立体型スイングポップ。
【請求項４】
前記第１の販促情報表示部、前記第２の販促情報表示部、前記固定部、前記つなぎ部、および前記支持部材は、一枚のシート材を用いて一体的に形成されていることを特徴とする請求項１〜３のいずれかに記載の立体型スイングポップ。
【考案の詳細な説明】
【技術分野】
【０００１】      本考案は、スーパーや量販店などで商品の販促用として利用される立体型スイングポップに関する。
【背景技術】
【０００２】      従来から、商品の販促用として、様々な形状のスイングポップが知られている。例えば、特許文献１には、図６の（Ａ）に示すように、陳列棚のような被付着部４に支持部２の一端を接着剤によって接着させ、支持部２の他端には表示部１ａと１ｂを有するスイングポップが公開されている。また、特許文献２には、図６の（Ｂ）に示すように、商品Ｍに掛けるための開口部２３と連続支持領域２７と表示用自由揺動領域２４などからなる販促用首掛けシール２０（スイングポップの一種）が開示されている。【０００３】      ところで、このような従来のスイングポップは、いずれも販促情報を表示する販促情報表示部が平面形状になっており、一般的に販促情報表示部の平面が陳列棚の正面に向くように設置されている。そのため、販促情報表示部に表示されている販促情報が陳列棚の正面からは見られるが、左右からは見ることができない。例え販促情報表示部の平面が陳列棚の正面と垂直になるようにスイングポップを設置したとしても、今度は左右からは販促情報を見ることができるが、正面からは見られなくなる。
【先行技術文献】
【特許文献】
【０００４】
【特許文献１】特開２００４−１３０４１
【特許文献２】特開２０１３−２５２５４
【考案の概要】
【考案が解決しようとする課題】
【０００５】      本考案は、このような従来のスイングポップの問題点を解決するためになされたものであって、正面と左右から販促情報が見られる立体型スイングポップを提供することを目的とする。
【課題を解決するための手段】
【０００６】      上記の目的を達せするために、本考案に係わる立体型スイングポップは、販促情報が印刷された第１の販促情報表示部と、販促情報が印刷された第２の販促情報表示部と、商品や陳列棚などに固定される固定部と、前記固定部と前記第２の販促情報表示部とをつなぐつなぎ部と、を備え、前記第１の販促情報表示部と前記第２の販促情報表示部は、その両方の印刷面が互いに略９０度を成すことを特徴とする。【０００７】      また、上記立体型スイングポップにおいて、前記第１の販促情報表示部は、その両面に販促情報が印刷されていることを特徴とする。【０００８】      また、上記立体型スイングポップにおいて、支持部材をさらに備え、前記第１の販促情報表示部と前記第２の販促情報表示部は、その両方の印刷面が互いに略９０度を成すように、前記支持部材によって支持されていることを特徴とする。【０００９】      また、上記立体型スイングポップにおいて、前記第１の販促情報表示部、前記第２の販促情報表示部、前記固定部、前記つなぎ部、および前記支持部材は、一枚のシート材を用いて一体的に形成されていることを特徴とする。
【考案の効果】
【００１０】      上記のような立体型スイングポップによれば、陳列棚の正面とそれぞれ平行と垂直になる二つの販促情報表示部を備えるため、陳列棚の正面と左右の三方向から販促情報表示部の販促情報が見られる。
【図面の簡単な説明】
【００１１】
【図１】本考案の実施例１に係わる立体型スイングポップの立体型に組み立てる前の平面状のスイングポップを示す図である。
【図２】本考案の実施例１に係わる立体型スイングポップの組み立て完了形状を示す斜視図である。
【図３】本考案の実施例１に係わる立体型スイングポップの陳列棚に適用されたときの状態を示す図である。
【図４】本考案の実施例２に係わる立体型スイングポップの立体型に組み立てる前の平面状のスイングポップを示す図である。
【図５】本考案の実施例２に係わる立体型スイングポップの組み立て完了形状を示す斜視図である。
【図６】従来のスイングポップを示す斜視図である。
【考案を実施するための形態】
【００１２】      以下、本考案の実施の形態を図に基づいて説明する。
【実施例１】
【００１３】      図１は、本考案の実施例１に係わる立体型スイングポップの立体型に組み立てる前の平面状のスイングポップを示す図である。図１に示すように、スイングポップは円形の第１の販促情報表示部１と、円形の第２の販促情報表示部２と、四角形の固定部３と、細長い形状のつなぎ部４と、４分の１のリング状の支持部材５を備える。また、固定部３の片面には両面テープ７が付着されている。【００１４】      第１の販促情報表示部１と第２の販促情報表示部２は、縦方向の中心線の左右対称の２本の半円形状の表示部切断線１１によって切断されている。また、左側の表示部切断線１１の両端と右側の表示部切断線１１の両端との間は切断されていない表示部連結部１２を有し、この上下の表示部連結部１２によって第１の販促情報表示部１と第２の販促情報表示部２が連結されている。また、左側の表示部切断線１１の両端と右側の表示部切断線１１の両端にはそれぞれ互いに反対方向に延びる小さい半円形切断線Ｒを有する。ここで、半円形切断線Ｒを入れることで、後術する立体型に組み立てる際の第１の販促情報表示部１の回転による表示部連結部１２に発生するねじれに対して強度が向上される効果がある。その理由は、半円形切断線Ｒによってねじれ発生範囲が長くなり、単位長さのねじれ程度が小さくなるからである。また、本実施例には半円形切断線Ｒを入れているが、これに限定されず、ねじれ発生範囲を延長させる形状であればどのような形状でもよい。例えば、互いに逆方向に延びる直線形切断線を入れても同様な効果が得られる。【００１５】      支持部材５は次のように形成されている。第２の販促情報表示部２の外側には、円の左上４分の１と右下４分の１に相当する範囲に第２の販促情報表示部２外径より半径が大きい部分を有し、その半径の大きい部分が第２の販促情報表示部２外径と同じＲを有する支持部材切断線５１によって切断されて支持部材５が形成される。ここで、支持部材５の一端には、支持部材切断線５１によって切断されていない支持部材連結部５２（付け根）を有し、この支持部材連結部５２によって支持部材５と第２の販促情報表示部２が連結されている。また、支持部材５の他端の先端部はＲ形状を有する。このＲ形状は後述する係止用スリット６への差し込みを容易にするためであって、必ずしもＲ形状である必要はない。例えば、三角形状でもよい。【００１６】      また、第１の販促情報表示部１には、横方向の中心線上に係止用スリット６が縦方向の中心線の左右対称２箇所に設けられている。係止用スリット６の長さは支持部材５の先端の幅よりやや大きく、係止用スリット６の幅はスイングポップを製造するシートの厚さよりやや大きい。【００１７】      また、上記の平面状のスイングポップは、市販の０．２ｍｍ厚のポリエステルシートシート（ロール状）を原材料として使用し、事前に製作した抜き型を用いて、ロール抜き専用抜き機にかけて形成する。抜き型には表示部切断線１１や支持部材切断線５１や係止用スリット６などを形成するための形状が加工されており、一回の切り抜き加工で上記の平面状のスイングポップが形成される。【００１８】      次に、上記のように形成された平面状のスイングポップの第１の販促情報表示部１と第２の販促情報表示部２に、所定の販促情報を印刷する。印刷方法については特に制限がなく、公知の印刷方法でよい。【００１９】      図２は、本考案の実施例１に係わる立体型スイングポップの組み立て完了形状を示す斜視図である。立体型のスイングポップに組み立てる手順は次の通りである。まず、表示部連結部１２を支持点として、第１の販促情報表示部１を縦方向の中心線を軸に回転させて、表示部連結部１２を略９０度ねじり変形させる。次に、左側の支持部材５が第２の販促情報表示部２の一方の印刷面と垂直になる方向に延在するように、支持部材５を押し倒して、横方向の中心線に略平行する折れ曲げ線５３に沿って折り曲げる。続いて、右側の支持部材５は、右側支持部材５の折り曲げ方向とは逆方向、即ち、第２の販促情報表示部２の他方の印刷面と垂直になる方向に延在するように折り曲げる。その後、支持部材５の先端を第１の販促情報表示部１に設けられた係止用スリット６に差し込み、反対側から伸出した先端部を、支持部材５の先端が係止用スリット６から抜き出さないように９０度折り曲げる。以上で、平面状のスイングポップから立体型への組み立てが完了し、実施例１に係わる立体型スイングポップが得られる。【００２０】      上記の立体型に組み立てる作業は、持ち運びの便利さの観点から、ポップの設置現場で行うことが好ましい。【００２１】      図３は、本考案の実施例１に係わる立体型スイングポップの陳列棚に適用されたときの状態を示す図である。図３において、１０は陳列棚を示し、２０はその陳列棚１０に陳列された商品を示し、３０は実施例１に係わる立体型スイングポップを示す。立体型スイングポップ３０は固定部３に付着されている両面テープ７によって商品２０に貼り付けられている。
【実施例２】
【００２２】      以下、図４と図５を用いて、本考案の実施例２に係わる立体型スイングポップについて説明する。なお、実施例１と同じ要素は同じ符号を付与し、説明を省略する。図４は、本考案の実施例２に係わる立体型スイングポップの立体型に組み立てる前の平面状のスイングポップを示す図である。図５は、本考案の実施例２に係わる立体型スイングポップの組み立て完了形状を示す斜視図である。【００２３】      図４に示すように、実施例２の実施例１との主な異なる点は次の通りである。まず、実施例１には支持部材５がない。次に、表示部切断線１１は、図４に示すように、横方向の中心線の両側にそれぞれ第１の係止用切込８を有し、縦方向の中心線の両側にそれぞれ第２の係止用切込９を有する。さらに、表示部切断線１１は横方向の直径が縦方向の直径より大きい楕円形である。【００２４】      ここで、表示部切断線１１の横方向の直径をＤ１、縦方向の直径をＤ２、第１の係止用切込８の切込深さをｈ１、第２の係止用切込９の切込深さをｈ２とすると、条件Ｄ１＞Ｄ２＋２＊ｈ２＞Ｄ１−２＊ｈ１＞Ｄ２を満たす。【００２５】      実施例２の立体型のスイングポップに組み立てる手順は次の通りである。まず、表示部連結部１２を切断して第１の販促情報表示部１と第２の販促情報表示部２を切り離す。表示部連結部１２の幅は０．５ｍｍ程度で、簡単に切断できるので、切断方法については特に限定しない。その後、第１の係止用切込８と第２の係止用切込９が互いに係り合いするように、第１の販促情報表示部１と第２の販促情報表示部２を組み立てる。このとき、それぞれの寸法が条件Ｄ１＞Ｄ２＋２＊ｈ２＞Ｄ１−２＊ｈ１＞Ｄ２を満たすため、第１の販促情報表示部１が第２の販促情報表示部２から脱落しない。また、第１の販促情報表示部１と第２の販促情報表示部２の相対位置関係が保たれる。さらに、第１の販促情報表示部１と第２の販促情報表示部２は、その両方の印刷面が互いに９０度をなす。以上で、実施例２に係わる立体型スイングポップの組み立てが完了し、図５に示すような立体型スイングポップが得られる。【００２６】      その後の現場での作業や適用時の状態などは、実施例１と同じであるため、説明を省略する。また、実施例２においては、立体型に組み立てる際に、第１の販促情報表示部１が円心を軸に９０度回転されるので、第１の販促情報表示部１に印刷する販促情報は使用状態に対して９０度回転させて印刷する必要がある。【００２７】      実施例１と実施例２においては、第１の販促情報表示部１と第２の販促情報表示部２の形状が両方とも円形になっているが、それぞれの形状については特に制限がない。例えば、楕円形や多角形などでもよい。また、第１の販促情報表示部１と第２の販促情報表示部２がそれぞれ異なる形状でもよい。例えば、第１の販促情報表示部１が四角形で、第２の販促情報表示部２が円形でもよく、その逆でもよい。【００２８】      実施例１においては、固定部３が両面テープ７を用いて商品に直接貼り付けられているが、これに限定されず、様々な手段で商品の近傍に固定することができる。例えば、商品に貼り付けるのではなく陳列棚に貼り付けてもよい。【００２９】      以上、実施例１と実施例２を用いて、本考案について具体的に説明したが、本考案はこれらの実施例に限定するものではない。また、本考案の基本思想を離脱しない範囲で様々な変形や修正が可能であり、これらの変形や修正なども本考案の権利範囲になる。
【産業上の利用可能性】
【００３０】      本考案は、商品の販促に用いるもので、スーパーや量販店などで使用される。
【符号の説明】
【００３１】  １：第１の販促情報表示部、２：第２の販促情報表示部、３：固定部、４：つなぎ部、５：支持部材、１１：表示部切断線、１２：表示部連結部、５１：支持部材切断線、５２：支持部材連結部、５３：折り曲げ線、６：係止用スリット、７：両面テープ、８：第１の係止用切込、９：第２の係止用切込、１０：陳列棚、２０：陳列商品、３０：立体型スイングポップ
【図１】
0003208156.tif 000003
【図２】
0003208156.tif 000004
【図３】
0003208156.tif 000005
【図４】
0003208156.tif 000006
【図５】
0003208156.tif 000007
【図６】
0003208156.tif 000008